Podtech/llm-jp-corpus-v4-ja_patent huggingface dataset:
(57)【要約】【課題】従来はズボン用ファスナーの上げ忘れで、つい気が付かず人前に出てしまい、また椅子にかけたとき前が開き、後で気が付き恥ずかしい思いをしたことがあった。最悪忘れても仮止めとしてひとりでに締まるような必要があった。【解決手段】本発明は従来のズボン用ファスナーに面ファスナーを効果的に設けることでズボンをはいたときやトイレで用たしした後にひとりでに締まり、ファスナー前面も揃い椅子にかけても前が開かないようにした。【選択図】図１
2015105459.tif 000002
【特許請求の範囲】
【請求項１】
下ろしたままのズボン用ファスナーを上げ忘れたとき、仮止めとして面ファスナーを押えることなく、ひとりでに閉じるようにしたファスナーに面ファスナーを使用した上げ忘れの補助装置
【請求項２】
ズボンの上側裏面のファスナーに沿わせて細幅の面ファスナーを上下２か所に設け、これに相当するズボンの下側表面の位置に相手側を設けた請求項１の補助装置
【請求項３】
ファスナーと細幅の面ファスナーは４±１ｍｍ離して設け、この細幅の面ファスナーは縦方向が２５±３ｍｍ、横方向が１０±３であるように共にズボンの双方に設けた請求項１の補助装置
【発明の詳細な説明】
【技術分野】
【０００１】  本発明は、ズボン用のファスナー１を下げたまま上げ忘れたときひとりでに閉じられ仮止めできるようにしたズボン用ファスナーの補助具に関する。
【背景技術】
【０００２】  今までは、ファスナー１を下げたまま外出してしまい、また公式の場に出てしまい、椅子に掛けたときなど、前が開き後で気がつき恥ずかしい思いをした経験は誰しもがある。これは他人が注意をしにくいものである。このようにズボンをはいたとき、用をたしたとき、上げ忘れてもひとりでに閉じられ仮止めできていれば恥ずかしい思いをせずにすむ。【０００３】  単にファスナー１に大きめの面ファスナーを備え付けただけでは閉じた開口部がきちんとそろわず出っ張ったりしわになったりする。また開けにくく開けるとき発生する音も耳障りである。従って面ファスナーの位置と大きさが重要になる。そこで細幅の面ファスナー２の小片を効率よく設けて、きちんと仮止め可能にし、開けやすく開けるときに発生する音を小さくし、かつ取り付け作業も容易にして、ズボンの仕上がりの外観の問題も解決した。【０００４】  一方面ファスナーに代わり磁石のマグネットテープも同様の効果が得られるものの、これを身に着けて時計やビデオ、パソコンなどの精密機器、ＣＤ、キャッシュカード、定期券など磁気カード類に近づけると故障の原因になることが考えられるのでこれを身に着けて使うことは好ましくない。また、ほかに粘着剤のエラストマーでは触れたときべたつきがあり気持ちの良いものではなく粘着強度も十分に得られない。【０００５】
【特許文献１】  特開２００５−３４２４８２
【特許文献２】  特開２０１１−１８４８１７
【発明の開示】
【発明が解決しようとする課題】
【０００６】  以上述べてきたように、ズボン用のファスナーの上げ忘れの対策が望まれて久しいが、扱いが簡便で、つい気が付かず忘れたときでもひとりでに仮止めできていれば恥ずかしい思いをせずに済む。仕上がり外観も紳士用としてスマートで、面ファスナーの取り付けの作業性の良いことも望まれる。ファスナーと面ファスナーは何れも同様な効果を持つものでこれを同時に使うことは思いつきにくいことである。また面ファスナーは押さえつけなくても軽く触れただけでも締まるのが特徴である。
【問題を解決するための手段】
【０００７】  本発明は上記目的を達成するために考案されたものである。まず面ファスナーの大きさと位置を特定するために表１のようにしてテストを行った。結果は表１に示す通りでテスト１のように縦のＡの長さと横のＢの長さの大きいものは面ファスナー２のファスナー１より離れた奥側でランダムに触れてくっついてしまい先の方が不揃いになり、盛り上がったりしわになったりしてファスナーの前面の開口部が上手く揃わない。この結果から、ファスナー１と面ファスナー２の間隔は最少にとどめたく４±１ｍｍとした。
【０００８】  テスト２のようにＡの長さを小さくしても同様で正規の位置に止められない。テスト３でようやく多少不揃いが解消できても不十分。テスト４、５では揃いは良いが座ったとき開いてしまう。そこでテスト６が揃いも良く、座ったときにも開かない。この最適条件を縦Ａの長さ２５±３ｍｍとし、横Ｂの長さ１０±３ｍｍとした。このとき使った面ファスナー２はポリエステル製の縫製用でエコマジック（クラレファスニング株式会社）である。
別の面ファスナーでは性能により若干の違いが出るもののほぼこの範囲にとどまるものと思われる。なおこの面ファスナーはミシンで縫製するほか、布用接着剤で固定することもできる。
【０００９】
【表１】
2015105459.tif 000003
【発明の効果】
【００１０】  上述したようにズボンをはいたとき、またトイレで用をたしたときファスナーを上げ忘れたとき面ファスナーを押えることなくひとりでに閉じられ、外出したとき、また座席に座った時でも前が開くことがなく恥ずかしい思いをせずに済む。なお、付随的効果であるが面ファスナーがあることでファスナーに気が付き忘れずにすむことになる。
【発明の実施するための最良の形態】
【００１１】  以下、本発明の実施の形態を図１と図２に基づいて説明する。
図１においては、ズボン用ファスナー１と共に実際に面ファスナー２を取り付けた図である。図２は面ファスナー２の大きさをと位置を示した図である。
まず、面ファスナーの効果的な位置と大きさであるが、片側２か所の計４か所で良いがときによりこの数は適宜増やしても良い。何としても重要なのは面ファスナーの位置と大きさである。面ファスナーの位置であるが、ファスナー１と面ファスナー２の間隔は近すぎるとファスナーの上げ下げをしにくくなり、離れすぎるとファスナー１から遠くなり奥側で面ファスナーがランダムにくっついてしまいファスナー前面が上手く揃わない。従って双方の間隔は４±１ｍｍが最適である。
【００１２】  また、面ファスナー２の大きさであるが横方向Ｂが大きくなると面ファスナーと同様で奥側でランダムにくっついてしまってファスナー１の前面が揃わない。従って横方向Ｂは１０±３ｍｍが最適である。縦方向Ａについては短いと食いつきが弱く椅子にかけたとき前が開いてしまう。また長すぎると開けるとき開けにくく、音も気になる。このため最適なのは２５±３ｍｍである。このとき面ファスナーの大きさは面ファスナーのテープ３でなく実際のくっつき部であるループとフックの長さである。
当然、ズボンの丈やサイズで使われるズボン用ファスナーの長さが違ってくるが、面ファスナーの位置はほぼ３等分に設けると良い。
最後に言うまでもないが、面ファスナーの活用はあくまで仮止めでありファスナー１は通常通り使うのが原則である。またこの面ファスナーがあることでファスナーを上げ忘れたときの対策にもなる。
【図面の簡単な説明】
【００１３】
【図１】ズボンのファスナーに面ファスナーを装着した図
【図２】ズボン用ファスナーと面ファスナーの位置と寸法図
【符号の説明】
【００１４】１  ズボン用ファスナー          ２  面ファスナー
３  面ファスナーのテープ
【図１】
2015105459.tif 000004
【図２】
2015105459.tif 000005
(57)【要約】【課題】本発明は、室内ドア引き戸両用簡易施錠器具である。室内の様々なドアや引き戸を簡単に施錠し、取り外しも簡単に行える簡易な施錠器具を提供する。【解決手段】施錠器具の主な構造を角棒１、角棒２にする。角棒１と角棒２をスライドできるよう金属枠６と７を設ける。角棒１、角棒２を適度な位置で固定できるよう蝶ネジ８を設ける。角棒２の先端に溝３を設ける。角棒１と角材４の間に蝶番１０を設ける。角材４の底にゴム材５を設ける。角棒２の端にフック棒９を設ける。【選択図】図１
2015105480.tif 000002
【特許請求の範囲】
【請求項１】
室内ドア、室内引き戸を効率良く施錠できるよう、角棒１と角棒２を設けることを特徴とする室内ドア引き戸両用簡易施錠器具。
【請求項２】
角棒１、角棒２が自在に伸縮できるよう金属枠６と７を設け、適度な長さで固定できるよう蝶ネジ８を設けたことを特徴とする室内ドア引き戸両用簡易施錠器具。
【請求項３】
ドアノブをしっかりホールドするよう角棒２の先端に溝３を設けたことを特徴とする室内ドア引き戸両用簡易施錠器具。
【請求項４】
ドアノブへのセット取り外しをより簡単にするため、角棒１と角材４の間に蝶番１１を設けたことを特徴とする室内ドア引き戸両用簡易施錠器具。
【請求項５】
セットした器具が滑らないよう角材４の底にゴム５を設けたことを特徴とする室内ドア引き戸両用簡易施錠器具。
【請求項６】
引き戸の取手を抑えることができるよう、また取手の深さに応じて長さを調整できるよう表面がゴム１０のネジ式のフック棒９を設けたことを特徴とする室内ドア引き戸両用簡易施錠器具。
【発明の詳細な説明】
【技術分野】
【０００１】
本発明は、室内ドア室内引き戸の簡易施錠に関するものである。
【背景技術】
【０００２】
従来の室内ドアの簡易施錠器具は、取り付け取り外しに時間がかかり、引き戸には使えない。
【発明の概要】
【発明が解決しようとする課題】
【０００３】
従来の室内ドアの簡易施錠器具は、設置取り外しに手間を要し、室内引き戸には利用できない。
以上の問題を解決し、取り付け、取り外しがより簡単で、引き戸にも使える簡易施錠器具を課題とする。
【課題を解決するための手段】
【０００４】
以上の課題を解決するために、第一発明は、角棒１角棒２を設けたことを特徴とする簡易施錠器具である。
第二発明は、角棒１角棒２をサポートする金属枠６と７を設け、角棒１角棒２を固定する蝶ネジ８を設けたことを特徴とする簡易施錠器具である。
第三発明は、角棒２の先端に溝３を設けたことを特徴とする簡易施錠器具である。
第四発明は、角棒１と角材４の間に蝶番１１を設けたことを特徴とする簡易施錠器具である。
第五発明は、角材４の底にゴム５を設けたことを特徴とする簡易施錠器具である。
第六発明は、角棒材２の先端部の側面に、表面がゴム１０の伸縮可能なネジ式棒９を設けたことを特徴とする簡易施錠器具である。
【発明の効果】
【０００５】
第一発明、第二発明、第三発明によれば、様々な種類の室内ドアノブを適度に下から固定することができる。
また、高さを合わせて蝶ネジ８で止めるだけなので、セットが簡単である。
第四発明によれば、蝶番１０を設けたことで、セットした簡易施錠器具の上部をドアノブの外側へと移動させ簡単に器具をはずすことができる。
また、同じドアに簡易施錠器具をセットするときには、高さの調整が不要で、ドアノブの外側からドアノブの真下に３の部分を移動させるだけでドアをロックできる。
第五発明によれば、簡易施錠器具の底にゴム５を設けたことで、ドアや引き戸にセットした時に滑りにくくなる。
第六発明によれば、伸縮可能な棒９を設けたことで、様々な種類の室内引き戸の取手に棒９をセットし固定できる。
【図面の簡単な説明】
【０００６】
【図１】図１は室内ドア引き戸両用簡易施錠器具の一実施形態を示す斜視図である。
【図２】図２は室内ドア引き戸両用簡易施錠器具の一実施形態を示す正面図である。
【図３】図３は室内ドア引き戸両用簡易施錠器具の一実施形態を示す真上図である。
【図４】図４は室内ドア引き戸両用簡易施錠器具の要部拡大の断面図である。
【図５】図５は室内ドア引き戸両用簡易施錠器具の収納時を示す斜視図である。
【発明を実施するための形態】
【０００７】
本発明の実施形態を説明する。
（イ）室内ドア、室内引き戸を効率よく固定するために、スライドする角棒１、角棒２を設ける。
（ロ）スライドする角棒１、角棒２をサポートするために鉄枠６、鉄枠７を設ける。
（ハ）スライドする角棒１、角棒２を容易に固定できるよう蝶ネジ８を設ける。
（ニ）ドアノブを効率良く支えることができるよう角棒２の先に溝３を設ける。
（ホ）セットした室内ドア引き戸両用簡易施錠器具が、斜めにして簡単に外れるよう蝶番１１を設けた。
（へ）セットした室内ドア引き戸両用簡易施錠器具が滑らないよう角材４の底にゴム５を設けた。
【符号の説明】
【０００８】
１    スライド角棒
２    スライド角棒
３    ドアノブサポート溝
４    支え角材
５    支え角材滑り止め
６    角棒サポート金具
７    角棒サポート金具
８    スライド角棒長さ調整ネジ
９    取手フック棒
１０  取手フック棒の滑り止め
１１  蝶番
【図１】
2015105480.tif 000003
【図２】
2015105480.tif 000004
【図３】
2015105480.tif 000005
【図４】
2015105480.tif 000006
【図５】
2015105480.tif 000007
(57)【要約】      （修正有）【課題】全方向の風に対応する風車で、低回転低騒音、仕組みが簡単故障しにくい、発電装置が下部にあるため保守管理しやすい風車を提供する。【解決手段】この風車は主軸１に副軸２が貫通していて回転する、その副軸２に角度の違う風受け板３、４を２枚を両端に取り付けた風車で、２枚の風受け板は風を受けると互いに風を受けたり逃がしたりする方向に回転して主軸を回転させる仕組みの風車である。連続して主軸を回転させる為に副軸及び風受け板を高さ位置、角度を変えて複数個を主軸に取り付けることにより連続的ににかつ滑らかにこの風車は回転する。【選択図】図１
2015105650.tif 000002
【特許請求の範囲】
【請求項１】
風の力で回転する風車の構造において、垂直に立てられた主軸に回転する横方向の副軸が貫通する、回転する副軸の両端に風を受ける為の風受け板をとりつける。
【請求項２】
風受け板は副軸に下向きに取り付ける。風を受けて回転し終わると振り子の原理を利用して元の状態に戻ると同時にその勢いで次の回転の動作に円滑に移行する。
【請求項３】
副軸に取り付けたれた両端の２枚の風受け板は角度を変えて取り付ける。
風を受けた時、一方の風受け板は風を直接平面で受ける方向に回転して垂直位置付近で止まる、もう一方の風受け板は風を受けた時、風を逃がすよう風と平行方向に止まるように、角度を変えて取り付ける。風車が静止状態の時は２枚の風受け板の重さが釣り合う中間角度で止まる。副軸に取り付けられた風受け板が必要以上に回転しない為の止め具を取り付ける。
【請求項４】
主軸に取り付けられた副軸及び両端の風受け板は、この風車が連続して滑らかに回転するために高さ位置と角度を変えて複数個取り付ける。
【請求項５】
主軸が方向不安定な風に不用意に逆回転しない為に、逆回転防止機具を取り付ける。
【請求項６】
風受け板はグラスファイバー、カーボンファイバー等の樹脂成形パネルで袋状の形状の中に副軸を通して固定具で取り付ける。
【発明の詳細な説明】
【技術分野】
【００００１】この考案は、主に風力発電に使用する風車に関するものである。
【背景技術】
【００００２】従来、風力発電の風車はプロペラ型の方式が主に実用されているがプロペラ方式は風を受ける方向に指向性がある。
【発明の開示】
【発明が解決しようとする課題】
【００００３】そのため次のような問題点があった。
風の吹く方向は一定ではなく変化するため常に大型プロペラは風の吹く方向へ向きを変える必要がある。また小型プロペラ風車は回転数が高く騒音が大きい。
風の力を効率良く直接的に回転エネルギーに変換する必要である。
自然風景に対して景観を破壊しない自然と調和できる形式の風車が必要であると思われる。
【課題を解決するための手段】
【００００４】風車の上下方向の主軸に対して回転する横方向の副軸を取り付け副軸の両端に風を受ける風受け板を角度を逆方向に取り付ける。副軸両端の２枚の風受け板は風力を受けると一方は風を直接受ける垂直方向に回転する、もう一方の風受け板は風力を受けない平行方向に回転する。垂直方向回転した風受け板が風の力を受けて主軸を回転させる、対してもう一方の風受け板は風に対して平行方向に回転するため風力を逃がす、したがって主軸は回転する。
風を受けて垂直に姿勢変化し主軸を回転させ、回転し終わった風受け板は元の状態に戻ると共にその勢いは次の回転の姿勢変化に素早く移行すする助けとなる。
風受け板を副軸にぶら下がる状態に取り付けるのは振り子の原理を利用する為でもある。連続して滑らかに回転させる為、主軸に高さ位置、角度を変えて複数個の副軸および風受け板を取り付ける。
連続して滑らかに回転させる為、主軸に高さ位置、角度を変えて複数個の副軸および風受け板を取り付ける。
この風車はどの方向からの風にも対応して回転することができる、
風受け板は風力を平面で受けるので直接的に大きな回転力に変換できる。
風受け板が回転して風力をとらえて風車が回転して、また次の風受け板が回転して風をとらえて風車が回転する、この風車が回転する様子は自然的で自然景観的にも良いと思われる。
【発明の効果】
【００００５】風の吹く全方向に対応し効率的な回転が得られる。低速回転なので騒音が少ない。
【発明を実施するための最良の形態】
【００００６】以下本発明の実施の形態について説明する。
（イ）本発明の風車は主軸（図▲１▼）に取り付けられた回転する副軸（図▲２▼）の両側に風受け板（図▲３▼▲４▼）を互いに［図４］のように角度を変えて取り付けてある。風のない状態では［図４］のように風受け板（図▲３▼▲４▼）は重さ釣り合い中間地点で停止している。
（ロ）風が吹くと風受け板（図▲３▼）は風の力で斜めの状態から下の方へ回転する。
風受け板（図▲３▼）は風の力で垂直付近の角度まで押し下げられると回転制御棒（▲７▼）が回転制御棒止め具の部分に当たり、風受け板（▲３▼）は回転が止まり垂直状態で停止し風力を直接平面で受けるので風車主軸（▲１▼）を回転させる。
風受け板（図▲４▼）は風の力を受けると後方上方向に押される、水平付近の角度まで押し上げられるとれるとるとの回転制御棒（図▲７▼）が回転制御棒止め具に当たり風受け板は（図▲４▼）は回転が止まり風力を受けない状態になるので、風車は［図５］の状態になり風車は回転し始める。風受け板（図▲３▼）は回転して風を強く受けない角度まで主軸が回転すると風受け板（図▲３▼）は反対側の風受け板（図▲４▼）の重さで、重さ釣り合い中間地点に戻ると同時に振り子の原理で、その勢いで次への回転姿勢変化に移行する。
（ハ）主軸は高さ位置、角度を変えた複数個取り付けられた副軸風受け板により連続的に回転する。風力で回転する風車主軸の下方にある発電機（▲１２▼）を回して発電する。
（ニ）風の吹く方向が不安定な場合、主軸（図▲１▼）が回転方向を迷うことがあるため主軸に逆回転防止機具（ワンウェイクラッチ）（図▲１０▼）を装着する。
【図面の簡単な説明】
【００００７】
【図１】無風状態の本発明の風車の全体斜視図
【図２】本発明の風車の副軸、風受け板の一部分  拡大斜視図
【図３】本発明の風車の副軸、風受け板の一部分  拡大斜視図
【図４】微風状態の本発明の風車の一部分  停止した状態の斜視図
【図５】風力が作用した本発明の風車の一部分  回転し始める状態の斜視図
【符号の説明】
【０００８】▲１▼    主軸
▲２▼    副軸
▲３▼    風受け板
▲４▼    風受け板
▲５▼    風受け板固定具
▲６▼    風受け板固定具
▲７▼    回転制御棒
▲８▼    回転制御棒止め治具
▲９▼    主軸受け
▲１０▼  逆転防止機具
▲１１▼  主軸受け
▲１２▼  発電機
【図１】
2015105650.tif 000003
【図２】
2015105650.tif 000004
【図３】
2015105650.tif 000005
【図４】
2015105650.tif 000006
【図５】
2015105650.tif 000007
(57)【要約】      （修正有）【課題】危険物等を充填した容器のキャップを開閉する際に、安全性を確保したキャップ開閉治具保護カバーを提供する。【解決手段】円錐、円錐台、多角錐及び多角錐台などから底面を除いた部分の形状を有し、キャップ開閉時に用いる治具のヘッド及びその周囲を傘状に覆う保護カバー１とする。治具のグリップを通すための窓部２を有する。透明又は半透明の樹脂から成る。キャップ開閉時に該保護カバー１の周縁が、治具のグリップ長さの中間位置よりヘッド側にある。【選択図】図１
2015105137.tif 000002
【特許請求の範囲】
【請求項１】
円錐、円錐台、多角錐及び多角錐台から選ばれる１種から底面を除いた部分の形状を有し、キャップ開閉時に用いる治具のヘッド及びその周囲を傘状に覆うことを特徴とするキャップ開閉治具保護カバー。
【請求項２】
前記治具のグリップを通すための窓部を有することを特徴とする請求項１に記載のキャップ開閉治具保護カバー。
【請求項３】
透明又は半透明の樹脂から成ることを特徴とする請求項１又は２に記載のキャップ開閉治具保護カバー。
【請求項４】
キャップ開閉時に該保護カバーの周縁が、治具のグリップ長さの中間位置よりヘッド側にあることを特徴とする請求項１〜３のいずれか１つの項に記載のキャップ開閉治具保護カバー。
【発明の詳細な説明】
【技術分野】
【０００１】
本発明は、危険物等を充填した容器のキャップを開閉する際の安全性を確保することのできるキャップ開閉治具保護カバーに関する。
【背景技術】
【０００２】
従来から、一般的なドラム缶のキャップを開閉する際の作業効率を高めるために様々な性状の治具（例えば、ドラムレンチ、ドラムスパナなど）が提案され、販売されている（例えば特許文献１及び２）。
【０００３】
しかし、廃棄物の封入されているドラム缶を開封する際には形状のみならず、満充填による内容物の噴出という危険性が存在する。そのため、万が一内容物が噴出した場合でも被液・薬傷を防止して作業者の安全を確保することが重要となる。
【先行技術文献】
【特許文献】
【０００４】
【特許文献１】実開平６−１５９７１号公報
【特許文献２】実開昭６３−１４７２６８号公報
【発明の概要】
【発明が解決しようとする課題】
【０００５】
これまでのドラム缶等の開閉作業では、内容物が噴出しても作業者が被液することがないよう、作業者が保護メガネ、安全手袋等を着用する対策がとられていた。
しかし、内容物が噴出した際に保護部位以外に付着する可能性があり、全身を覆う保護服では作業性が著しく低下するため現実的には採用しえないという問題点があった。
本発明は、上述した各先行技術の問題点に鑑み、作業性を低下させずに開閉作業の安全性を確保可能なカバーを見出し、本発明を完成することを目的とする。
【課題を解決するための手段】
【０００６】
上記課題を解決するために、本発明においては、作業箇所であるレンチのヘッド周囲を保護カバーで覆うキャップ開閉治具保護カバーが提供される。
【０００７】
即ち、本発明のキャップ開閉治具保護カバーは、円錐、円錐台、多角錐及び多角錐台から選ばれる１種から底面を除いた部分の形状を有し、キャップ開閉時に用いるレンチのヘッド及びその周囲を傘状に覆うことを特徴とする。
【発明の効果】
【０００８】
以上、本発明のキャップ開閉治具保護カバーを用いることにより、作業箇所であるレンチのヘッド周囲を保護カバーで覆うこととしたため、キャップ開閉時に飛散する液体から作業者を防護して安全に開閉作業を行うことが可能となった。
【図面の簡単な説明】
【０００９】
【図１】本発明品の一例を示す上面図と側面図である。
【図２】本発明品の使用状態を示す写真である。
【発明を実施するための形態】
【００１０】
本発明のキャップ開閉治具保護カバーは、円錐、円錐台、多角錐及び多角錐台などの底面を除いた形状で構成され、キャップ開閉時に用いる治具のヘッド及びその周囲は傘状に覆われることとなる。このような構成により、キャップ開閉時に飛散する液体から作業者を防護して安全な開閉作業を行える。
【００１１】
また、キャップ開閉は治具をキャップ設置面と同一平面状で回転して行うため、本発明の保護カバーを治具に固定することもできる。このときは、保護カバーの一部に窓部を設けて、治具のグリップをこの窓部に通すことが好ましい。窓部を設けることで、治具との着脱を迅速かつ容易にすることができる。また、作業時に不安定となった保護カバーが、キャップ周囲から外れたりするのを防止できる。窓部の大きさは、作業性に影響しない限りグリップ径に合わせて隙間からの飛散を防ぐようにするのが良い。
例えば、幅４０ｍｍ×高さ１０ｍｍ程度の窓部とし、開閉可能な開放部を通して装着することができる。
【００１２】
更に、作業時の視認性を確保するためには、本発明の保護カバーは、透明又は半透明の樹脂から成ることが好ましい。これより、キャップと開閉治具把持部を目視確認で安全に開閉作業を行うことができる。
かかる樹脂としては、ポリエチレン（ＰＥ）、ポリ塩化ビニル（ＰＶＣ）、ポリプロピレン（ＰＰ）、ポリカーボネート（ＰＣ）等が挙げられる。また、作業性を良好にするために可とう性に優れる樹脂が良い。
【００１３】
また、本発明の保護カバーの大きさは、通常のキャップ開閉治具を使用する場合と比較して作業効率が著しく下がらないことが望ましい。このため、キャップ開閉時に該保護カバーの周縁が、開閉治具のグリップ長さの中間位置よりヘッド側にある程度であるとよい。
具体的には、例えば、ドラム缶用のレンチであれば、全長は２００ｍｍ〜３００ｍｍ程度で、レンチをキャップに装着する作業状態で、ドラム缶キャップを十分覆うことができ、且つレンチのグリップの半分以上を覆わない程度の大きさであるのが良い。
【００１４】
更に、本発明の保護カバーは、周縁部がキャップ設置面より下方まで延在していることが好ましい。これより、開閉作業時のキャップ装着後から開閉後までの安全性をより高めることができる。
なお、ドラム缶等のキャップ形状やサイズは一様でないため、それらに対して共通して使用できる保護カバーとなるように、上述の大きさや形状を設計することが望ましい。
【実施例】
【００１５】
透明なポリエチレン樹脂を半径２００ｍｍで高さ７０ｍｍの円錐から底面を除いた形状とし、側面に４０ｍｍ×５ｍｍの窓部を設けて、本例の保護カバーとした。図１に概略図を示す。
この保護カバー１の窓部２にラチェットレンチのグリップを通し、ドラム缶のキャップにレンチのキャップ把持部をセットして開閉作業を行った。この様子を図２に示す。
本発明品の一例である保護カバーを用いてのキャップ開閉作業は、キャップ把持部とキャップとの固定を目視で確認することができ、カバー未装着時と比較しても作業効率が下がることなく、ドラムのキャップを安全に開けることができた。
一方、従来方法として、開閉治具のみでの開閉作業を行った場合では、噴出時に内容物が周囲に飛散し、作業者が薬傷する危険性があった。
【００１６】
以上のように、本発明の開閉治具保護カバーを用いることで内容物の飛散範囲を開閉直後の小範囲に留めることができ、より安全に作業することができる。
【符号の説明】
【００１７】
１  キャップ開閉治具保護カバー
２  窓部
【図１】
2015105137.tif 000003
【図２】
2015105137.tif 000004
(57)【要約】      （修正有）【課題】水稲、直播種は効率的に大きなメリットがある反面、植込み深さ不足に依る、茎数の増加と倒伏の危険性が高く、鳥害も発生し易い、これらの解決を図る。【解決手段】適正深さの溝に播種し、その後溝部に水張を張り鳥害対策とした上で、一定生育後に埋め戻す事で、茎数の抑制と、倒伏を防止する。【選択図】図１
2015208323.tif 000002
【特許請求の範囲】
【請求項１】
水稲、直播種に際、圃場に３〜５ｃｍの溝を切り播種し、発芽後生育が進んだ段階で埋戻しを行うことで苗植えと同様の植込み深さを確保し、収穫時の倒伏を防止するもの。
【請求項２】
植込み深さを苗植えと同様とする為、余剰な茎数を抑制できる。
【請求項３】
播種後、溝部のみに水を張る事で、溝形状を維持し、種籾が流れずかつ鳥害防止できる。
【発明の詳細な説明】
【発明の詳細な説明】
従来の直播種は平坦な圃場に播種する為、水を張ると種籾が流れ易いが、溝を切って播種する事で、種籾は流れずかつ鳥害を抑制しながら、植込み深さも確保し、余計な茎数を抑制しながら、収穫時の倒伏を防止する。
【図面の簡単な説明】
【図１】  圃場面の溝切状況と、種籾
【符号の説明】Ａ  圃場面
Ｂ  溝切部
Ｃ  溝切深さ
Ｄ  種籾
Ｅ  水張部
【図１】
2015208323.tif 000003
(57)【要約】      （修正有）【課題】木が生長する前にニセアカシアが生長する。【解決手段】草花を成長させ日陰をつくる。【選択図】なし【特許請求の範囲】
【請求項１】
草花で日陰をつくり、ニセアカシアの生長をおそくさせる方法。
【発明の詳細な説明】
【技術分野】
【０００１】  本発明はニセアカシアの成長をおそくさせ駆除する方法に関する。
【技術背景】
【０００２】  木を生長させ日陰をつくる方法。
【発明の概要】
【発明が解決しようとする課題】
【０００３】  木が生長する前にニセアカシアが生長する。
【課題を解決するための手段】
【０００４】  草花を成長させ日陰をつくる。
【発明の効果】
【０００５】  ニセアカシアの成長が、草花の日陰のある場所の方が日陰のない場所より半分以下になる。
【発明を実施するための形態】
【０００６】  草花を成長させる。
【実施例１】
【０００７】  成長が早く葉や幹の大きい草花を植栽し、成長させ日陰をつくる。
【実施例２】
【０００８】  生えてきた草花を刈らずに成長させ日陰をつくる。
(57)【要約】      （修正有）【課題】水中で疑似餌として使用される、一体化された金属材料で形成されたメタルジグ内部に空洞を設け、浮力材を内包。自重や外面的形状による水の抵抗以外の外力として従来にはなかった浮力を加え、水中でのメタルジグの落下や上昇時により効果的な動作を行うほか、これまでほとんど動作することがなかった静止状態においても動作を可能にする疑似餌として効果的なメタルジグを提供すること。【解決手段】メタルジグは本体１が鉛や鉄、タングステンまたはこれらの合金等からなる金属製の部材によって形成され、本体１の内部には空洞２が設けられている。空洞２には空気や発泡ウレタンなどの水に比べ密度が小さい部材を浮力材３として内包し、本体１を形成する金属製の部材によって密閉される。本体１の頭部側に突出したアイ４に釣り糸５を連結し使用する。【選択図】図１
2015208325.tif 000002
【特許請求の範囲】
【請求項１】
釣りに用いる金属製擬似餌であって、内部に空洞を有した構造をもつメタルジグ。
【請求項２】
釣りに用いる金属製擬似餌であって、金属内部に浮力材を有した構造をもつメタルジグ。
【発明の詳細な説明】
【技術分野】
【０００１】本発明は、外面的な形状により、水中での抵抗を受け動作を生み出すのではなく、内部に設けられた空洞もしくは浮力材で水中での動作を生み出す、釣りに用いられるメタルジグと呼ばれる金属製擬似餌に関するものである。
【背景技術】
【０００２】一般に使用されるメタルジグは、一体化された金属の部材で形成されており、水中での抵抗を受け動作を生み出す外面的な形状の違いはあっても、内部は金属材料そのままで、何の対処もされていなかった。また金属材料で一体化されたメタルジグは、自重や外面的形状による水の抵抗以外の外力が存在しないため、水中での落下や上昇等の本体が水中移動する以外は静止状態に近く、魚などを模した疑似餌としての効力はなかった。
【発明の開示】
【発明が解決しようとする課題】
【０００３】メタルジグの金属内部に空洞を設け、浮力材を内包する。
自重や外面的形状による水の抵抗に加え、浮力による水中での動作を可能にした効果的な疑似餌としてのメタルジグを提供する。
【課題を解決する為の手段】
【０００４】メタルジグ［本体１］は鉛や鉄、タングステンまたはこれらの合金等からなる金属製の部材によって形成され、［本体１］の内部には［空洞２］が設けられている。［空洞２］には空気や発泡ウレタンなどの水に比べ密度が小さい部材を［浮力材３］として入れ、本体を形成する金属製の部材によって密閉される。
【発明の効果】
【０００５】本考案は上記のように構成しているので、水中での落下や上昇の移動時だけでなく、静止した状況においても、メタルジグ内部の浮力材により、魚などを模したように水中を揺らぐように動作する。浮力材の密度の大きさによりその動作を調整することも可能。
【発明を実施する為の最良の形態】
【０００６】図１のように、［浮力材３］が内包されたメタルジグ［本体１］の頭部側に突出した［アイ４］に［釣り糸５］を連結し、使用する。
【実施例】
【０００７】以下、この発明の実施形態を、図面に基づいて詳細に説明する。
図３の断面図のように、［本体１］に設けられた［空洞２］に［浮力材３］を内包する。【０００８】図１・２のように、［浮力材３］は［本体１］の金属の部材によって密閉される。【０００９】図の１のように、メタルジグ［本体１］の頭部側に突出した［アイ４］に［釣り糸５］を連結し使用する。
【図面の簡単な説明】
【００１０】
【図１】本発明の横図である。
【図２】本発明の上図である。
【図３】本発明の断面図である。
【符号の説明】
【００１１】１  本体
２  空洞
３  浮力材
４  アイ
５  釣り糸
【図１】
2015208325.tif 000003
【図２】
2015208325.tif 000004
【図３】
2015208325.tif 000005
(57)【要約】【課題】クリップの付いた多芯筆記具で、筆記後に厚みのあるものに該筆記具を保持させようとする時、芯を収納してからクリップを開く手間が面倒であった。【解決手段】クリップの両隣にあるスライドレバーの突起におのおの対応する、クリップに設けた突起が、スライドレバーを動かし、芯を収納させる、バネを使った突起付きクリップの付いた多芯筆記具と、同様の働きをするクリップの付いた多芯筆記具のクリップに取り付けて使う、クリップに突起を付与する用具の提供。【選択図】図１
2015208993.tif 000002
【特許請求の範囲】
【請求項１】
クリップの両隣にあるスライドレバーの突起に対応する、クリップに設けた突起が、クリップの開口操作により、スライドレバーの突起に接触して押圧し、芯を収納せしめる事を特徴とする、バネを使ったクリップの付いた多芯筆記具。
【請求項２】
クリップの両隣にあるスライドレバーの突起に対応する、クリップに設けた突起が、クリップの開口操作により、スライドレバーの突起に接触して押圧し、芯を収納せしめる、バネを使ったクリップの付いた多芯筆記具の、クリップに取り付けて使う、クリップに突起を付与する事を特徴とする用具。
【発明の詳細な説明】
【技術分野】
【０００１】  この発明は、クリップを摘んだら芯が収納される、バネを使ったクリップの付いた多芯筆記具に関する。
【背景技術】
【０００２】  従来、筆記具を厚みのあるものにも保持させられるよう、バネを使ったクリップの付いた多芯筆記具があった。また、芯の自動収納機構を備えた、バネを使ったクリップの付いた多芯筆記具も提案されていた。
【先行技術文献】
【特許文献】
【０００３】
【特許文献１】特開２０１２−１６１９７７号公報
【非特許文献】
【０００４】  示せず
【発明の概要】
【発明が解決しようとする課題】
【０００５】  しかしながら、以上の技術によれば、バネを使ったクリップの付いた多芯筆記具は、筆記後に厚みのあるものに該筆記具を保持させようとする時、まずスライドレバーを指で操作して芯を収納し、次いで持ち替えて、クリップ後端部の指当て部を摘んでクリップを開いた後、保持側の物品に取り付けるので、この持ち替えのひと手間が面倒であった。【０００６】    また、［特許文献１］特開２０１２−１６１９７７号公報には、、筆記具本体に芯の自動収納機構を備えた、バネを使ったクリップの付いた多芯筆記具が提案されているが、これは芯の収納忘れ防止の安全装置であるから、厚みのあるものに筆記具を保持させようとする時の、持ち替えのひと手間解消には寄与せず、やはり面倒な持ち替えのひと手間があった。【０００７】    そこで本発明は、厚みのあるものに筆記具を保持させようとする時、筆記後にクリップを指で摘んで開くだけで、芯が収納される、面倒な持ち替えのひと手間が不要の、バネを使ったクリップの付いた、多芯筆記具の提供を課題とする。
【課題を解決するための手段】
【０００８】  以上の課題を解決するための第一発明は、クリップの両隣にあるスライドレバーの突起におのおの対応する、クリップ後端部に設けた二つの突起が、クリップの開口操作により、スライドレバーの突起に接触して押圧し、芯を収納せしめる事を特徴とする、バネを使ったクリップの付いた多芯筆記具である。【０００９】  第二発明は、クリップの両隣にあるスライドレバーの突起におのおの対応する、クリップに設けた二つの突起が、クリップの開口操作により、スライドレバーの突起に接触して押圧し、芯を収納せしめる、バネを使ったクリップの付いた多芯筆記具のクリップに取り付けて使う、クリップの後端部に突起を付与する事を特徴とする用具である。
【発明の効果】
【００１０】  第一発明、または第二発明によれば、多芯筆記具の使用後、厚みのあるものに、該筆記具を保持させようとする時、クリップ後端部を指で摘めば、クリップの両隣にあるスライドレバーの突起におのおの対応する、クリップ後端部の指当て部の下に設けた二つの突起が、クリップの両隣りに位置する、芯が収納状態の位置にあるスライドレバーの突起に接触して押圧し、スライドレバーをロック解除方向に作動させることで、芯を収納させるので、クリップを操作する前に行っていた、指でスライドレバーを作動して芯を収納する操作は不要となり、よって、多芯筆記具による筆記後の、厚みのあるものに筆記具を保持させようとする時の、面倒な持ち替えのひと手間が不要となる。
【図面の簡単な説明】
【００１１】
【図１】第一発明の一実施形態を示す側面図である。
【図２】第一発明の一実施形態を示す上から見た図である。
【図３】第二発明の一実施形態を示す斜視図である。
【図４】第一発明の一実施形態の作動状態を示す側面図である。
【図５】第二発明の一実施形態を装着した状態を示す側面図である。
【図６】従来技術を示す側面図である。
【発明を実施するための形態】
【００１２】  この発明の一実施形態を、図１に示す。
多芯筆記具１の本体は合成樹脂製であり、本体内部に２本の異なる色の芯と、本体外部に支点８と、支点８よりも力点側に金属製バネ３を用いたシーソー型の、多芯筆記具１の本体とは別の独立した部材からなる合成樹脂製クリップ２が備わり、該クリップ２の中心から外周に等間隔をおいた両隣りに、各芯に対応する独立した芯を出し入れする機能を担う、レバーの突起６を設けた二本のスライドレバー５が、相対して備わり、クリップ２の先端部を開口するための、バネ３が備わる側の力点である、クリップ後端部の指当て部７の下に、クリップ２を開口した時、クリップ２の両隣りに位置する、芯が収納状態の位置にあるスライドレバー５のレバーの突起６におのおの接触する、二つの突起４が設けられて形成される。
【００１３】「実施形態の効果」
この実施形態によれば、多芯筆記具使用後、厚みのあるものに、筆記具１を保持させようとする時、筆記後クリップ２の指当て部７を指で摘むだけで、指当て部７の下の並列する二つの突起４の両方かまたは片方が、クリップの両隣りに位置するスライドレバー５の、芯が収納状態の位置にあるレバーの突起６に接触して押圧し、出ている芯を収納させる。
【００１４】  よって、クリップ２の先端部を開く操作は、同時にスライドレバー５をロック解除方向に作動ドさせる操作も兼ねるので、クリップ２を操作する前の面倒なひと手間だった、持ち替えを伴うスライドレバー５を指で押しての、芯の収納操作をせずとも良い。加えて、芯のロック解除機構はもちろん、クリップ２以外の仕様は全く変更することなく、そのまま使える。
「他の実施形態」
図１で示した一実施形態の多芯筆記具は２色のものであったが、３色あるいは４色の多芯筆記具でもよい。
【符号の説明】
【００１５】１  多芯筆記具
２  クリップ
３  バネ
４  二つの突起
５  スライドレバー
６  レバーの突起
７  指当て部
８  支点
【図１】
2015208993.tif 000003
【図２】
2015208993.tif 000004
【図３】
2015208993.tif 000005
【図４】
2015208993.tif 000006
【図５】
2015208993.tif 000007
【図６】
2015208993.tif 000008
(57)【要約】      （修正有）【課題】暗記した単語カードと、暗記していない単語カードを分かりやすく別段に仕分けることができる単語帳を提供する。【解決手段】単語帳の表紙裏表紙となる二枚を重ね合わせた片側に、上、下、二段の小穴３を開けて、開閉可能なリング４を小穴に各一個取り付けて、これを仕分けシートとする。この時、単語カード８を横書きで使用する場合、仕分けシートは、縦に単語カード縦の長さの二倍程度、横に単語カード横の長さ程度に設定すると使い勝手がよい。仕分けシートに、内側、又は内外両側の表記箇所上段６と表記箇所下段７が反対表記になる統一した組み合わせで○、×を印す。仕分けシートは、単語帳の表裏表紙になるようにし、単語カードを一方のリングにセットして綴じる。【選択図】図２
2015208992.tif 000002
【特許請求の範囲】
【請求項１】
単語帳の表裏表紙とする二枚を重ね合わせた片側に、上、下、二段の小穴を開け、開閉可能なリングを小穴に各一個取り付けて、二段に単語カードを綴じ分けることができるようにしたものを仕分けシートとして、リングに単語カードを綴じた単語帳。
【請求項２】
単語カードをより分かりやすく仕分けるために、単語帳の表裏表紙の内側、又は、内外両側の表記箇所上段と表記箇所下段に、反対表記の統一した組み合わせで○、×を印した請求項１の単語帳。
【発明の詳細な説明】
【技術分野】
【０００１】  本発明は、暗記に利用する単語帳に関するものである。
【背景技術】
【０００２】  従来の単語帳は、片側一箇所に穴のあいたに開閉可能なリングが一個付属されているものが一般的であった。
【発明の概要】
【発明が解決しようとする課題】
【０００３】  従来の単語帳は、暗記した単語カードと暗記していない単語カードを別々に仕分けることができなかった。
本発明は、以上の問題点を解決するためになされたものである。
【課題を解決するための手段】
【０００４】  単語帳の表表紙と裏表紙の二枚を重ね合わせた片側に上、下、二段の小穴を開けて、開閉可能なリングを各一個取り付けて、単語カードを上下二段に綴ることができる仕分けシートを設ける。この時、単語カードを横書きで使用する場合、仕分けシートは、縦に単語カード縦の長さの二倍程度、横に単語カード横の長さ程度に設定すると使い勝手がよい。
仕分けシートの、内側、又は内外両側には、表記箇所上段と表記箇所下段が反対表記になる統一した組み合わせで、○又は×のどちらかを印す。
仕分けシートが単語帳の表裏表紙になるように、単語カードを一方のリングにセットして綴じる。
以上の構成によりなる単語帳。
【発明の効果】
【０００５】  本発明品によって、暗記した単語カードと、暗記していない単語カードを別段に仕分けることができる。【０００６】  本発明品の表裏表紙の内側、又は内外両側に、上下段が反対表記となる統一した組み合わせで○又は、×の表記をすることによって、単語カードを用途毎、より分かりやすく仕分ける
ことができる上に、単語カードを縦書き、横書きのどちらで使用しても仕分けが可能となり便利である。【０００７】  本発明品の仕分けシートを活用して、従来の単語帳でも同様に仕分けることができる。
【図面の簡単な説明】
【０００８】
【図１】本発明の仕分けシートの正面図
【図２】本発明の見開き斜視図
【図３】本発明の使用状態例を示す斜視図
【発明を実施するための形態】
【０００９】以下、本発明の実施形態を説明する。
（イ）重ね合わせた表紙（１）、裏表紙（２）の片側に上、下、二段の小穴（３）を開けて、開閉可能なリング（４）を小穴（３）に各一個取り付けたものを仕分けシート（５）とする。この時、単語カードを横書きで使用する場合、仕分けシート（５）は、縦を単語カード縦の長さの二倍程度、横を単語カード横の長さ程度に設定すると使い勝手がよい。
（ロ）仕分けシート（５）の内側、又は内外両側の表記箇所上段（６）と表記箇所下段が反対表記になる統一した組み合わせで○、又は×を印す。
（ハ）仕分けシート（５）を単語帳の表裏表紙となるように単語カード（８）を一方のリング（４）にセットして綴じる。
本発明は以上のような構造である。
本発明を使用するときは、例えば、単語カード横書きで使用する場合、覚えていない単語カードが多けれは、仕分けシート（５）の上段に○の表記が見えるように、仕分けシート（５）下段のリング（４）に単語カード（８）をセットする。
また、覚えた単語カードが多けれは、仕分けシート（５）の上段に×の表記が見えるように、仕分けシート下段のリング（４）に単語カード（８）をセットする。
覚えた単語カード（８）は○表記方向のリング（４）へ、覚えていない単語カード（８）は×表記方向のリング（４）へ移動させて、単語カードを綴り、仕分けていく。
【符号の説明】
【０００１０】１  表紙、２  裏表紙、３  小穴、４  リング、５  仕分けシート、６  表記箇所上段、７  表記箇所下段、８  単語カード
【図１】
2015208992.tif 000003
【図２】
2015208992.tif 000004
【図３】
2015208992.tif 000005
(57)【要約】      （修正有）【課題】安価に自分で入歯を製造可能とする。【解決手段】溝Ａのところに接着剤をうめ込み、その上から薄いビニールをかぶせて、口の中に入れ上、下の入歯をはめて口の中でしっかりと固まるまで押さえて固まったら、口から出して、ビニールを取りはずすことで完成する。これにより、何回も溝に接着剤をつめ、固まるとヤスリで削る作業を何回もくり返す加工を不要とすることができる。【選択図】図１
2015208670.tif 000002
【特許請求の範囲】
【請求項１】
写真▲Ａ▼のように溝に接着剤をうめ込み、その上から薄い、ビニールをかぶせて、口の中に入れ上、下の入歯をはめて口の中でしっかりと固まるまで押えて固まったら，ビニールを取りはずして完成です。
【発明の詳細な説明】
【技術分野】
【０００１】  この発明は、自動車の部品の金型に例をとって設明します。
過去の部品は金型を人工的にヤスリで    て、部品を加工していました、ヤスリの使い方の技術で、部品の出来具合が決まります。部品が悪いと車道で故障し、ＪＡＦのお世話になっていました。その場で修理が出来ますと、それで車は動きますが、修理工場まで車を輸送しなければなりません。その為、以前は修理工場が沢山ありました。しかし、コンピューターの出現で金型を機械が削るようになり、部品の精度が向上し、故障も少なくなり、最近ＪＡＦが車道で、故障車を見かけることはありません。運転ミスで事故を起しＪＡＦの役割が多くなっています。入歯も金型と同じようなもので入歯の型を加工して、（下図の写真）、写真の▲Ａ▼の溝のところに入歯と同じ接着剤を写真のように溝にとりつけ、その上からビニールの薄いのでかぶせて、上・下の入歯を口の中に入れて、上・下をしっかりかんで押えて、固まったら、口から、出して、ビニールを取り去れば、完成です。今までは、何回も溝に接着剤をつめ固まったら、ヤスリで削り、それを何回もくり返しますので加工の技術が大変で、出来上がりでは何十万円もかゝっています。私は途中で、上記の方法で、自分で加しましたから、２、３万円位で出来ました。人は皆、老人になると入歯を必要としますから、国際特許で出願をお願いします。老人の為に役に立って良かったと思っています。
2015208670.tif 000003
【手続補正書】
【提出日】平成26年7月7日(2014.7.7)
【手続補正１】
【補正対象書類名】明細書
【補正対象項目名】全文
【補正方法】変更
【補正の内容】
【発明の詳細な説明】
【技術分野】
【０００１】  この発明は、自動車の部品の金型に例をとって説明します。
過去の部品は金型を人工的にヤスリで削って、部品を加工していました。ヤスリの使い方の技術で、部品の出来具合が決まります。部品が悪いと車道で故障し、ＪＡＦのお世話になっていました。その場で修理が出来ますと、それで車は動きますが、修理工場まで車を輸送しなければなりません。その為、以前は修理工場が沢山ありました。しかし、コンピューターの出現で金型を機械が削るようになり、部品の精度が向上し、故障も少なくなり、最近ＪＡＦが車道で、故障車を見かけることはありません。運転ミスで事故を起しＪＡＦの役割が多くなっています。入歯も金型と同じようなもので入歯の型を加工して、（下図の写真）、写真の▲Ａ▼の溝のところに入歯と同じ接着剤を写真のように溝にとりつけ、その上からビニールの薄いのでかぶせて、上、下の入歯を口の中に入れて、上、下をしっかりかんで押えて、固まったら、口から、出して、ビニールを取り去れば、完成です。今までは、何回も溝に接着剤をつめ固まったら、ヤスリで削り、それを何回もくり返しますので加工の技術が大変で、出来上がりでは何十万円もかゝっています。私は途中で、上記の方法で、自分で加しましたから、２、３万円位で出来ました。人は皆、老人になると入歯を必要としますから、国際特許で出願をお願いします。老人の為に役に立って良かったと思っています。
【図面の簡単な説明】
【０００２】
【図１】本発明の説明写真です。
【手続補正２】
【補正対象書類名】図面
【補正対象項目名】全図
【補正方法】追加
【補正の内容】
【図１】
2015208670.tif 000004
(57)【要約】【課題】清掃シートの拭き取り位置の移動を遠隔操作で実施する清掃用具は、当該清掃用具を構成する部品数が多く、構造が複雑で、重量があり、製造単価が高かったので、部品数が少なく、構造が簡単で、軽量化ができ、製造単価を低くすることができる清掃用具を提供する。【解決手段】グリップ部３に柄４を設け、グリップ部３の逆方向の柄４にクランク形状のアーム５を設ける。アーム５の先端をロール２のシャフト支持部７へ挿入し、ロール２が外れないようにストッパー８で固定する。ロール２のシャフト支持部７の端にラチェット６の一方向のみ回転を固定させる機構を設けたことを特徴とした清掃用具。【選択図】図１
2015208663.tif 000002
【特許請求の範囲】
【請求項１】
（イ）グリップ部（３）に柄（４）を設け、グリップ部（３）の逆方向の柄（４）にクランク形状のアーム（５）を設け、
（ロ）アーム（５）の先端をロール（２）のシャフト支持部（７）へ挿入し、ロール（２）が外れないようにストッパー（８）で固定し、
（ハ）ロール（２）のシャフト支持部（７）の端にラチェット（６）の一方向のみ回転を固定させる機構を設ける、
以上の構成よりなる清掃用具。
【発明の詳細な説明】
【技術分野】
【０００１】  本発明は、清掃シートを巻付け固定したロール式拭き取り清掃用具に関するものである。
【背景技術】
【０００２】  従来、清掃シートをロールに巻付け固定した清掃用具を用いて被清掃物の拭き取り清掃を行う際、清掃シートの拭き取り位置の移動におけるロールの回転及び固定については、グリップ部に備えた引き金により遠隔操作していた（特許文献１参照）。
【先行技術文献】
【特許文献】
【０００３】
【特許文献１】特開平１０−１７９５０１号公報
【発明の概要】
【発明が解決しようとする課題】
【０００４】  これには次のような欠点があった。
清掃シートの拭き取り位置の移動を遠隔操作で実施する清掃用具は、当該清掃用具を構成する部品数が多く、構造が複雑で、重量があり、製造単価が高くなった。
本発明は以上の問題点を解決するためのものである。
【課題を解決するための手段】
【０００５】  グリップ部に柄を設け、グリップ部とは逆方向の柄にはクランク形状のアーム部材を装着する。当該アームの先端をロールのシャフト支持部に挿入し、ストッパーで固定する。ロールのシャフト支持部には一方向のみ回転を固定することができる機構部を設ける。
以上の構成によりなる清掃用具。
【発明の効果】
【０００６】  ロールのシャフト支持部に一方向のみ回転を固定させることができる機構部を設けることで、例えば前方向へのロールの移動時にはロールの回転を固定し、床等の被清掃物を拭き取ることができ、後方向へのロールの移動時にはロールを回転させて清掃シートの拭き取り位置を変えることができる。また上記により部品数が少なく、構造も簡単で軽量化ができ製造単価を低くすることができる。
【図面の簡単な説明】
【０００７】
【図１】本発明の斜視図である。
【図２】本発明の断面図である。
【図３】ラッチェット部の拡大図である。
【発明を実施するための形態】
【０００８】  以下、本発明の実施の形態について説明する。
（イ）グリップ部（３）に柄（４）を設け、グリップ部（３）の逆方向の柄（４）にクランク形状のアーム（５）を設ける。
（ロ）アーム（５）の先端をロール（２）のシャフト支持部（７）へ挿入し、ロール（２）が外れないようにストッパー（８）で固定する。
（ハ）ロール（２）のシャフト支持部（７）の端にラチェット（６）の一方向のみ回転を固定させる機構を設ける。
（ニ）ラチェット（６）は歯車（９）と歯止め（１０）で構成され、図３矢印Ａで示す方向にロールを移動させた場合、歯止め（１０）より歯車（９）が押さえられることによってロール（２）の回転を固定するため、清掃シート（１）により被清掃物を拭き取ることができる。また、図３中矢印Ｂで示す方向にロールを移動させると、歯車（９）は図３中矢印Ｃで示す方向に回転し、歯車（９）に接触している歯止めずらし部（１１）が図３中矢印Ｄで示す方向に引っ張られ、歯止めずらし部（１１）と一体となっている歯止め（１０）も同様に動き、歯止め（１０）が歯車（９）から外れ、ロール（２）が回転することによって清掃シート（１）の拭き取り位置を移動させる。上記の動作を繰り返すことにより清掃シート（１）全体を使用した拭き取り清掃が可能となる。
本発明は以上のような構造である。
【０００９】  本発明を使用する時は、グリップ部（３）を握り、例えば、ロール（２）を図３矢印Ａで示す方向にロールを移動させる場合、ロール（２）は歯止め（１０）により歯車（９）が押さえられロール（２）の回転を固定するため、清掃シート（１）により被清掃物を拭き取ることができる。また、図３中矢印Ｂで示す方向にロールを移動させると、歯車（９）は図３中矢印Ｃで示す方向に回転し、歯車（９）に接触している歯止めずらし部（１１）が図３中矢印Ｄで示す方向に引っ張られ、歯止めずらし部（１１）と一体となっている歯止め（１０）も同様に動き、歯止め（１０）が歯車（９）から外れ、ロール（２）が回転することによって清掃シート（１）の拭き取り位置を移動させる。上記の動作を繰り返すことにより清掃シート（１）全体を使用した拭き取り清掃が可能となる。
【符号の説明】
【００１０】１  清掃シート、２  ロール、３  グリップ部、４  柄、５  アーム、６  ラチェット、７  シャフト支持部、８  ストッパー、９  歯車、１０  歯止め、１１  歯止めずらし部
【図１】
2015208663.tif 000003
【図２】
2015208663.tif 000004
【図３】
2015208663.tif 000005